(57)【特許請求の範囲】
【請求項１】
ＳＤＨ装置のクロック同期・分配機能を実現するＳＯＮＥＴ／ＳＤＨシンクメッセージ変換回路であって、
ネットワークから受信した１．５４４ＭｂｐｓのＳＯＮＥＴクロック信号に同期した２．０４８ＭｂｐｓのＳＤＨクロック信号を生成する信号生成手段と、
ネットワークから受信した１．５４４ＭｂｐｓのＳＯＮＥＴクロック信号からＳＯＮＥＴ仕様シンクメッセージを抽出するシンクメッセージ抽出手段と、
前記抽出したＳＯＮＥＴ仕様シンクメッセージをＳＤＨ仕様シンクメッセージへ変換するシンクメッセージ変換手段と、
前記変換したＳＤＨ仕様シンクメッセージを前記生成したＳＤＨクロック信号に挿入しネットワークへ出力する出力手段と
を備えることを特徴とするＳＯＮＥＴ／ＳＤＨシンクメッセージ変換回路。
【請求項２】
ＳＤＨ装置のクロック同期・分配機能を実現するＳＯＮＥＴ／ＳＤＨシンクメッセージ変換回路であって、
ネットワークから受信した２．０４８ＭｂｐｓのＳＤＨクロック信号に同期した１．５４４ＭｂｐｓのＳＯＮＥＴクロック信号を生成する信号生成手段と、
ネットワークから受信した２．０４８ＭｂｐｓのＳＤＨクロック信号からＳＤＨ仕様シンクメッセージを抽出するシンクメッセージ抽出手段と、
前記抽出したＳＤＨ仕様シンクメッセージをＳＯＮＥＴ仕様シンクメッセージへ変換するシンクメッセージ変換手段と、
前記変換したＳＯＮＥＴ仕様シンクメッセージを前記生成したＳＯＮＥＴクロック信号に挿入しネットワークへ出力する出力手段と
を備えることを特徴とするＳＯＮＥＴ／ＳＤＨシンクメッセージ変換回路。
【請求項３】
ＳＤＨ装置のクロック同期・分配機能を実現するＳＯＮＥＴ／ＳＤＨシンクメッセージ変換回路であって、
ネットワークから受信したＯＣ−Ｎ信号に同期した２．０４８ＭｂｐｓのＳＤＨクロック信号を生成する信号生成手段と、
ネットワークから受信したＯＣ−Ｎ信号のＳ１バイトからＳＯＮＥＴ仕様シンクメッセージを抽出するシンクメッセージ抽出手段と、
前記抽出したＳＯＮＥＴ仕様シンクメッセージをＳＤＨ仕様シンクメッセージへ変換するシンクメッセージ変換手段と、
前記変換したＳＤＨ仕様シンクメッセージを前記生成したＳＤＨクロック信号に挿入しネットワークへ出力する出力手段と
を備えることを特徴とするＳＯＮＥＴ／ＳＤＨシンクメッセージ変換回路。
【請求項４】
ＳＤＨ装置のクロック同期・分配機能を実現するＳＯＮＥＴ／ＳＤＨシンクメッセージ変換回路であって、
ネットワークから受信した２．０４８ＭｂｐｓのＳＤＨクロック信号に同期したＯＣ−Ｎ信号を生成する信号生成手段と、
ネットワークから受信した２．０４８ＭｂｐｓのＳＤＨクロック信号からＳＤＨ仕様シンクメッセージを抽出するシンクメッセージ抽出手段と、
前記抽出したＳＤＨ仕様シンクメッセージをＳＯＮＥＴ仕様シンクメッセージへ変換するシンクメッセージ変換手段と、
前記変換したＳＯＮＥＴ仕様シンクメッセージを前記生成したＯＣ−Ｎ信号のＳ１バイトに挿入しネットワークへ出力する出力手段と
を備えることを特徴とするＳＯＮＥＴ／ＳＤＨシンクメッセージ変換回路。
【請求項５】
ＳＤＨ装置のクロック同期・分配機能を実現するＳＯＮＥＴ／ＳＤＨシンクメッセージ変換回路であって、
ネットワークから受信したＳＴＭ−Ｎ信号に同期した１．５４４ＭｂｐｓのＳＯＮＥＴクロック信号を生成する信号生成手段と、
ネットワークから受信したＳＴＭ−Ｎ信号のＳ１バイトからＳＤＨ仕様シンクメッセージを抽出するシンクメッセージ検出手段と、
前記抽出したＳＤＨ仕様シンクメッセージをＳＯＮＥＴ仕様シンクメッセージへ変換するシンクメッセージ変換手段と、
前記変換したＳＯＮＥＴ仕様シンクメッセージを前記生成したＳＯＮＥＴクロック信号に挿入しネットワークへ出力する出力手段と
を備えることを特徴とするＳＯＮＥＴ／ＳＤＨシンクメッセージ変換回路。
【請求項６】
ＳＤＨ装置のクロック同期・分配機能を実現するＳＯＮＥＴ／ＳＤＨシンクメッセージ変換回路であって、
ネットワークから受信した１．５４４ＭｂｐｓのＳＯＮＥＴクロック信号に同期したＳＴＭ−Ｎ信号を生成する信号生成手段と、
ネットワークから受信した１．５４４ＭｂｐｓのＳＯＮＥＴクロック信号からＳＯＮＥＴ仕様シンクメッセージを抽出するシンクメッセージ検出手段と、
前記抽出したＳＯＮＥＴ仕様シンクメッセージをＳＤＨ仕様シンクメッセージへ変換するシンクメッセージ変換手段と、
前記変換したＳＤＨ仕様シンクメッセージを前記生成したＳＴＭ−Ｎ信号のＳ１バイトに挿入しネットワークへ出力する出力手段と
を備えることを特徴とするＳＯＮＥＴ／ＳＤＨシンクメッセージ変換回路。
【請求項７】
ＳＤＨ装置のクロック同期・分配機能を実現するＳＯＮＥＴ／ＳＤＨシンクメッセージ変換回路であって、
ネットワークから受信したＯＣ−Ｎ信号に同期したＳＴＭ−Ｎ信号を生成する信号生成手段と、
ネットワークから受信したＯＣ−Ｎ信号のＳ１バイトからＳＯＮＥＴ仕様シンクメッセージを抽出するシンクメッセージ抽出手段と、
前記抽出したＳＯＮＥＴ仕様シンクメッセージをＳＤＨ仕様シンクメッセージへ変換するシンクメッセージ変換手段と、
前記変換したＳＤＨ仕様シンクメッセージを前記生成したＳＴＭ−Ｎ信号のＳ１バイトに挿入しネットワークへ出力する出力手段と
を備えることを特徴とするＳＯＮＥＴ／ＳＤＨシンクメッセージ変換回路。
【請求項８】
ＳＤＨ装置のクロック同期・分配機能を実現するＳＯＮＥＴ／ＳＤＨシンクメッセージ変換回路であって、
ネットワークから受信したＳＴＭ−Ｎ信号に同期したＯＣ−Ｎ信号を生成する信号生成手段と、
ネットワークから受信したＳＴＭ−Ｎ信号のＳ１バイトからＳＤＨ仕様シンクメッセージを抽出するシンクメッセージ抽出手段と、
前記抽出したＳＤＨ仕様シンクメッセージをＳＯＮＥＴ仕様シンクメッセージへ変換するシンクメッセージ変換手段と、
前記変換したＳＯＮＥＴ仕様シンクメッセージを前記生成したＯＣ−Ｎ信号のＳ１バイトに挿入しネットワークへ出力する出力手段と
を備えることを特徴とするＳＯＮＥＴ／ＳＤＨシンクメッセージ変換回路。
【請求項９】
ＳＤＨ装置のクロック同期・分配機能を実現するＳＯＮＥＴ／ＳＤＨシンクメッセージ変換回路であって、
ネットワークから受信したクロックソースからシンクメッセージを抽出するシンクメッセージ抽出手段と、
前記抽出したシンクメッセージのビットパターンから、前記抽出したシンクメッセージがＳＯＮＥＴ仕様シンクメッセージとＳＤＨ仕様シンクメッセージとの何れであるかを識別する識別手段と、
前記抽出したシンクメッセージを前記識別手段が識別しない方の仕様のシンクメッセージへ変換するシンクメッセージ変換手段と、
ネットワークから受信したクロックソースを前記識別手段が識別しない方の仕様のクロックソースへ変換するクロックソース変換手段と、
前記変換したシンクメッセージを前記変換したクロックソースに挿入しネットワークへ出力する出力手段と
を備えることを特徴とするＳＯＮＥＴ／ＳＤＨシンクメッセージ変換回路。
【請求項１０】
ＳＤＨ装置のクロック同期・分配機能を実現するＳＯＮＥＴ／ＳＤＨシンクメッセージ変換回路であって、
ネットワークから受信したクロックソースからシンクメッセージを抽出するシンクメッセージ抽出手段と、
ネットワークから受信したクロックソースからＣ１バイトを抽出するＣ１バイト抽出手段と、
抽出した前記Ｃ１バイトから、前記抽出したシンクメッセージがＳＯＮＥＴ仕様シンクメッセージとＳＤＨ仕様シンクメッセージとの何れであるかを識別する識別手段と、
前記抽出したシンクメッセージを前記識別手段が識別しない方の仕様のシンクメッセージへ変換するシンクメッセージ変換手段と、
ネットワークから受信したクロックソースを前記識別手段が識別しない方の仕様のクロックソースへ変換するクロックソース変換手段と、
前記変換したシンクメッセージを前記変換したクロックソースに挿入しネットワークへ出力する出力手段と
を備えることを特徴とするＳＯＮＥＴ／ＳＤＨシンクメッセージ変換回路。
【請求項１１】
ＳＤＨ装置のクロック同期・分配機能を実現するＳＯＮＥＴ／ＳＤＨシンクメッセージ変換回路であって、
ネットワークから受信したクロックソースからシンクメッセージを抽出するシンクメッセージ抽出手段と、
前記抽出したシンクメッセージに付加されている識別情報から当該シンクメッセージがＳＯＮＥＴ仕様とＳＤＨ仕様の何れの仕様であるかを識別する識別手段と、
前記抽出したシンクメッセージを前記識別情報で表示されない方の仕様のシンクメッセージへ変換するシンクメッセージ変換手段と、
変換したシンクメッセージにＳＯＮＥＴ仕様とＳＤＨ仕様との識別を行う前記識別情報を付加する識別情報付加手段と、
ネットワークから受信したクロックソースを前記識別情報で表示されない方の仕様のクロックソースへ変換するクロックソース変換手段と、
変換したクロックソースに前記識別情報付きシンクメッセージを挿入しネットワークへ出力する出力手段と
を備えることを特徴とするＳＯＮＥＴ／ＳＤＨシンクメッセージ変換回路。
【発明の詳細な説明】
【０００１】
【発明の属する技術分野】
本発明は、ＳＤＨネットワークを構成するＳＤＨ装置のクロック同期・分配機能を実現するＳＯＮＥＴ／ＳＤＨシンクメッセージ変換回路に関する。
ＳＤＨ(Synchronous Digital Hierarchy）ネットワークには、ＩＴＵ−Ｔ仕様に準拠したネットワークと、ＳＯＮＥＴ(Synchronous Optical Network）仕様に準拠したネットワークとがある。そして、前者のネットワークは、ＳＤＨネットワークと称され、後者のネットワークは、ＳＯＮＥＴと称され、両者は区別されている。なお、ＩＴＵ−Ｔ仕様に準拠したネットワークは、主として欧州で普及し、ＳＯＮＥＴに準拠したネットワークは、主として北米で普及している。
本明細書では、次のように定義して使用する。「ＳＤＨネットワーク」と言うときは、両ネットワークを指すこととする。特に区別する必要がある場合には、それぞれのネットワークを具体的に指摘する。ＩＴＵ−Ｔ仕様に準拠したネットワークを構成する装置とＳＯＮＥＴに準拠したネットワークを構成する装置とを区別する場合には、前者の装置を「ＳＤＨ装置」、後者の装置を「ＳＯＮＥＴ装置」という。但し、両者に共通に適用できる事項については、単に「ＳＤＨ装置」という。また、「ＩＴＵ−Ｔ仕様」は、「ＳＤＨ仕様」と称することもある。
したがって、表題の「ＳＤＨネットワークを構成するＳＤＨ装置」とは、ＩＴＵ−Ｔ仕様に準拠したネットワークを構成する装置とＳＯＮＥＴに準拠したネットワークを構成する装置とを指す。また、「ＳＯＮＥＴ／ＳＤＨシンクメッセージ変換」とは、ＳＯＮＥＴ仕様に準拠したネットワークとＩＴＵ−Ｔ仕様に準拠したネットワークと間でのシンクメッセージ変換操作を指す。
【０００２】
【従来の技術】
さて、ＳＤＨネットワークでの伝送形態を規定するフレームは、先頭の「セクションオーバーヘッド」と、後続する「ペイロード」とで構成される。なお、伝送形式には、両ネットワーク共に光信号伝送と電気信号伝送の形式がある。光信号伝送では、ＩＴＵ−Ｔ仕様に準拠したネットワークでは、ＳＴＭ−Ｎと称し、ＳＯＮＥＴ仕様に準拠したネットワークでは、ＯＣ−Ｎと称されるが、ＳＴＭ−１６とＯＣ−４８とは、共に２．４８８３２Ｇｂｐｓ（略して２．５Ｇｂｐｓ）のデータ速度である。電気信号伝送のハイアラーキでは、ＩＴＵ−Ｔ仕様に準拠したネットワークでは、２．０４８Ｍｂｐｓ（略して２Ｍｂｐｓ）のデータ速度が基本となっており、ＳＯＮＥＴ仕様に準拠したネットワークでは、１．５４４Ｍｂｐｓ（略して１．５Ｍｂｐｓ）のデータ速度が基本となっている。
【０００３】
図１１は、ＳＤＨネットワークでの伝送形態を規定するフレーム構成におけるセクションオーバーヘッドの構成を示す。図１１において、フレームは、２次元のバイト配列で表現されるが、本来のセクションオーバーヘッドは、フレーム先頭の９行９列のうち、第４行目のＡＵポインタを除いた部分であり、上３行が中継セクションオーバーヘッドと称され、下５行が端局セクションオーバーヘッドと称され、それぞれのセクションにおいて各種のバイトが定義される。
【０００４】
この中で本発明に関わるバイトは、上３行の中継セクションオーバーヘッドの最右端にあるＣ１バイトと、下５行の端局セクションオーバーヘッドの最下端にあるＺ１バイトとである。Ｃ１バイトは、当該フレームの識別に用いられる。
また、Ｚ１バイトは、上位４ビットが空きビットで、下位４ビッがＳ１バイトと称され、この下位４ビッのＳ１バイトに伝送クロックの品質管理に用いるシンクメッセージ（ＳＳＭ：Synchronization Status Message）が挿入される。これは、近年、ＳＤＨネットワークの普及に伴いクロックに関する機能・特性の整備が進み、伝送クロックの品質管理に対する要求に応えるべく、クロックソースと共にシンクメッセージを伝送することにしたものである。なお、クロックソースとは、２Ｍｂｐｓや１．５Ｍｂｐｓのパイポーラ信号、ＳＴＭ−Ｎ及びＯＣ−Ｎ（２．５Ｇｂｐｓ）の光伝送信号の全てを言う。
【０００５】
図１２は、ＩＴＵ−Ｔ（ＳＤＨ）−ＳＳＭ仕様とＳＯＮＥＴ−ＳＳＭ仕様の比較図である。シンクメッセージ（ＳＳＭ）は、具体的には、図１２に示すようにＺ１バイトの下位４ビット（Ｓ１）を用いたコード｛００００｝〜｛１１１１｝で表示され、各コード値に発生元のクロック信号の品質ＱＬ(Quality Level）を割り付けている。
【０００６】
ＳＤＨ−ＳＳＭ仕様では、電気信号伝送の２Ｍｂｐｓ（ＳＳＭ）と光信号伝送のＳＴＭ−Ｎ（Ｓ１）が共に４ビットで規定され、それぞれ同内容となっている。そして、「Ｇ．８１１」は、精度が一番良いクロックであることを示す。
一方、ＳＯＮＥＴ−ＳＳＭ仕様では、電気信号伝送の１．５ＭｂｐｓのＳＳＭが８ビットのＥＳＦ(Extended Supper Frame）データリンクコードで規定されるのに対し、光信号伝送のＯＣ−Ｎ（Ｓ１）が４ビットで規定される。そして、「ＰＲＳ」は、精度が一番良いクロックであることを示す。
【０００７】
各ＳＤＨ装置は、このシンクメッセージを受信して最良の品質のクロックを選択し、同期を取るように動作するのである。
【０００８】
【発明が解決しようとする課題】
したがって、ＳＤＨネットワークとＳＯＮＥＴネットワークとを相互接続してネットワークの拡大を図る場合に、ＳＤＨ装置がＳＯＮＥＴネットワークのＳＳＭを受信してクロックの品質管理が行え、同様にＳＯＮＥＴ装置がＳＤＨネットワークのＳＳＭを受信してクロックの品質管理が行えるならば、全体として１つのネットワークとして運用することができ非常に好都合である。
【０００９】
ところが、図１２に示すように、ＩＴＵ−Ｔ（ＳＤＨ）−ＳＳＭ仕様とＳＯＮＥＴ−ＳＳＭ仕様とでは、コード割付が相違している。そのため従来では、相互接続を実現する際に、ＳＤＨ装置やＳＯＮＥＴ装置においてＳＳＭを相互に接続できず、例えば図１３や図１４に示すようにクロック同期系は、別個独立に構成する必要があった。
【００１０】
図１３において、ＳＯＮＥＴ装置７１は、外部クロック装置７０から１．５Ｍｂｐｓのクロックの供給を受けて、ＳＯＮＥＴネットワークに対し、ＯＣ−３、ＯＣ−１２、ＯＣ−４８等の各フレーム信号のクロックソースを分配送出する。また、ＳＤＨ装置７５は、外部クロック装置７４から２Ｍｂｐｓのクロックの供給を受けて、ＳＤＨネットワークに対し、ＳＴＭ−１、ＳＴＭ−４、ＳＴＭ−１６等の各フレーム信号のクロックソースを分配送出する。
【００１１】
そして、ＳＯＮＥＴ装置７１とＳＤＨ装置７５は、ＯＣ−４８とＳＴＭ−１６とでもって連携しているが、Ｓ１バイトにおけるＳＳＭのコード割付が異なるために、相互に利用できず、それぞれ別個独立の独立同期系を構成している。
また、図１４において、ＳＯＮＥＴ装置７１とＳＤＨ装置７９は、ＯＣ−４８とＳＴＭ−１６とでもって連携し、ＳＤＨ装置７９側の外部クロック装置７８がＳＯＮＥＴ装置７１からのＯＣ−４８のクロックソースに同期して動作するが、ＳＳＭのコード割付が異なるために、外部クロック装置７８には、従属同期ではあるが、ＳＯＮＥＴ−ＳＳＭは供給されない。
【００１２】
本発明は、ＳＤＨネットワークとＳＯＮＥＴネットワークとを相互接続する場合に同期クロックの相互接続を可能にするＳＯＮＥＴ／ＳＤＨシンクメッセージ変換回路を提供することを目的とする。
【００１３】
【課題を解決するための手段】
図１は、請求項１乃至請求項８に記載の原理ブロック図である。
【００１４】
請求項１に記載の発明は、ＳＤＨ装置のクロック同期・分配機能を実現するＳＯＮＥＴ／ＳＤＨシンクメッセージ変換回路であって、ネットワークから受信した１．５４４ＭｂｐｓのＳＯＮＥＴクロック信号（イ）に同期した２．０４８ＭｂｐｓのＳＤＨクロック信号（ロ）を生成する信号生成手段１と、ネットワークから受信した１．５４４ＭｂｐｓのＳＯＮＥＴクロック信号（イ）からＳＯＮＥＴ仕様シンクメッセージ（ハ）を抽出するシンクメッセージ抽出手段２と、抽出したＳＯＮＥＴ仕様シンクメッセージ（ハ）をＳＤＨ仕様シンクメッセージ(ニ)へ変換するシンクメッセージ変換手段３と、変換したＳＤＨ仕様シンクメッセージ（ニ）を生成したＳＤＨクロック信号（ロ）に挿入しネットワークへ出力する出力手段４とを備えることを特徴とする。
【００１５】
即ち、請求項１に記載の発明では、信号生成手段１が、ＳＯＮＥＴネットワークから受信した１．５４４ＭｂｐｓのＳＯＮＥＴクロック信号（イ）に同期した２．０４８ＭｂｐｓのＳＤＨクロック信号（ロ）を生成し、出力手段４に送出する。
また、シンクメッセージ抽出手段２が、ＳＯＮＥＴネットワークから受信した１．５４４ＭｂｐｓのＳＯＮＥＴクロック信号（イ）からＳＯＮＥＴ仕様シンクメッセージ（ハ）を抽出し、シンクメッセージ変換手段３が、抽出したＳＯＮＥＴ仕様シンクメッセージ（ハ）をＳＤＨ仕様シンクメッセージ（ニ）へ変換し、出力手段４に送出する。
【００１６】
そして、出力手段４が、変換したＳＤＨ仕様シンクメッセージ（ニ）を、生成したＳＤＨクロック信号(ロ）に挿入しＳＤＨネットワークへ送出する信号(ホ）を形成する。
斯くして、ＳＯＮＥＴネットワークから受信した１．５４４ＭｂｐｓのＳＯＮＥＴクロック信号を、ＳＤＨ装置内でそのシンクメッセージをＳＯＮＥＴ仕様からＳＤＨ仕様へ変換した２．０４８ＭｂｐｓのＳＤＨクロック信号を生成し、ＳＤＨネットワークへ送出できる。したがって、ＳＤＨネットワークにおいて、ＳＯＮＥＴネットワークのクロック同期に関するシンクメッセージを利用できることになる。
【００１７】
請求項２に記載の発明は、ＳＤＨ装置のクロック同期・分配機能を実現するＳＯＮＥＴ／ＳＤＨシンクメッセージ変換回路であって、ネットワークから受信した２．０４８ＭｂｐｓのＳＤＨクロック信号（イ）に同期した１．５４４ＭｂｐｓのＳＯＮＥＴクロック信号（ロ）を生成する信号生成手段１と、ネットワークから受信した２．０４８ＭｂｐｓのＳＤＨクロック信号（イ）からＳＤＨ仕様シンクメッセージ（ハ）を抽出するシンクメッセージ抽出手段２と、抽出したＳＤＨ仕様シンクメッセージ（ハ）をＳＯＮＥＴ仕様シンクメッセージへ変換するシンクメッセージ変換手段３と、変換したＳＯＮＥＴ仕様シンクメッセージ（ニ）を生成したＳＯＮＥＴクロック信号（ロ）に挿入しネットワークへ出力する出力手段４とを備えることを特徴とする。
【００１８】
即ち、請求項２に記載の発明では、信号生成手段１が、ＳＤＨネットワークから受信した２．０４８ＭｂｐｓのＳＤＨクロック信号（イ）に同期した１．５４４ＭｂｐｓのＳＯＮＥＴクロック信号（ロ）を生成し、出力手段４に送出する。
また、シンクメッセージ抽出手段２が、ＳＤＨネットワークから受信した２．０４８ＭｂｐｓのＳＤＨクロック信号（イ）からＳＤＨ仕様シンクメッセージ（ハ）を抽出し、シンクメッセージ変換手段３が、抽出したＳＤＨ仕様シンクメッセージ（ハ）をＳＯＮＥＴ仕様シンクメッセージへ変換し、出力手段４に送出する。
【００１９】
そして、出力手段４が、変換したＳＯＮＥＴ仕様シンクメッセージ（ニ）を生成したＳＯＮＥＴクロック信号（ロ）に挿入しＳＯＮＥＴネットワークへ送出する信号（ホ）を形成する。
斯くして、ＳＤＨネットワークから受信した２．０４８ＭｂｐｓのＳＤＨクロック信号を、ＳＤＨ装置内でそのシンクメッセージをＳＤＨ仕様からＳＯＮＥＴへ変換した１．５４４ＭｂｐｓのＳＯＮＥＴクロック信号を生成し、ＳＯＮＥＴネットワークへ送出できる。したがって、ＳＯＮＥＴネットワークにおいて、ＳＤＨネットワークのクロック同期に関するシンクメッセージを利用できることになる。
【００２０】
請求項３に記載の発明は、ＳＤＨ装置のクロック同期・分配機能を実現するＳＯＮＥＴ／ＳＤＨシンクメッセージ変換回路であって、ネットワークから受信したＯＣ−Ｎ信号(イ）に同期した２．０４８ＭｂｐｓのＳＤＨクロック信号(ロ）を生成する信号生成手段１と、ネットワークから受信したＯＣ−Ｎ信号（イ）のＳ１バイトからＳＯＮＥＴ仕様シンクメッセージ（ハ）を抽出するシンクメッセージ抽出手段２と、抽出したＳＯＮＥＴ仕様シンクメッセージ（ハ）をＳＤＨ仕様シンクメッセージへ変換するシンクメッセージ変換手段３と、変換したＳＤＨ仕様シンクメッセージ（ニ）を生成したＳＤＨクロック信号（ロ）に挿入しネットワークへ出力する出力手段４とを備えることを特徴とする。
【００２１】
即ち、請求項３に記載の発明では、信号生成手段１が、ＳＯＮＥＴネットワークから受信したＯＣ−Ｎ信号（イ）に同期した２．０４８ＭｂｐｓのＳＤＨクロック信号（ロ）を生成し、出力手段４に送出する。
また、シンクメッセージ抽出手段２が、ＳＯＮＥＴネットワークから受信したＯＣ−Ｎ信号(イ)のＳ１バイトからＳＯＮＥＴ仕様シンクメッセージを抽出し、シンクメッセージ変換手段３が、抽出したＳＯＮＥＴ仕様シンクメッセージ(ハ)をＳＤＨ仕様シンクメッセージ（ニ）へ 変換し、出力手段４に送出する。
【００２２】
そして、出力手段４が、変換したＳＤＨ仕様シンクメッセージ（ニ）を生成したＳＤＨクロック信号（ロ）に挿入しＳＤＨネットワークへ送出する信号（ホ）を形成する。
斯くして、ＳＯＮＥＴネットワークから受信したＯＣ−Ｎ信号を、ＳＤＨ装置内でそのシンクメッセージをＳＯＮＥＴ仕様からＳＤＨ仕様へ変換した２．０４８ＭｂｐｓのＳＤＨクロック信号を生成し、ＳＤＨネットワークへ送出できる。したがって、ＳＤＨネットワークにおいて、ＳＯＮＥＴネットワークのクロック同期に関するシンクメッセージを利用できることになる。
【００２３】
請求項４に記載の発明は、ＳＤＨ装置のクロック同期・分配機能を実現するＳＯＮＥＴ／ＳＤＨシンクメッセージ変換回路であって、ネットワークから受信した２．０４８ＭｂｐｓのＳＤＨクロック信号(イ）に同期したＯＣ−Ｎ信号(ロ）を生成する信号生成手段１と、ネットワークから受信した２．０４８ＭｂｐｓのＳＤＨクロック信号（イ）からＳＤＨ仕様シンクメッセージ（ハ）を抽出するシンクメッセージ抽出手段２と、抽出したＳＤＨ仕様シンクメッセージ（ハ）をＳＯＮＥＴ仕様シンクメッセージ(ニ)へ変換するシンクメッセージ変換手段３と、変換したＳＯＮＥＴ仕様シンクメッセージ(ニ）を生成したＯＣ−Ｎ信号(ロ）のＳ１バイトに挿入しネットワークへ出力する出力手段４とを備えることを特徴とする。
【００２４】
即ち、請求項４に記載の発明では、信号生成手段１が、ＳＤＨネットワークから受信した２．０４８ＭｂｐｓのＳＤＨクロック信号（イ）に同期したＯＣ−Ｎ信号（ロ）を生成し、出力手段４に送出する。
また、シンクメッセージ抽出手段２が、ＳＤＨネットワークから受信した２．０４８ＭｂｐｓのＳＤＨクロック信号（イ）からＳＤＨ仕様シンクメッセージを抽出し、シンクメッセージ変換手段３が、抽出したＳＤＨ仕様シンクメッセージ（ハ）をＳＯＮＥＴ仕様シンクメッセージへ変換し、出力手段４に送出する。
【００２５】
そして、出力手段４が、変換したＳＯＮＥＴ仕様シンクメッセージ（ニ）を、生成したＯＣ−Ｎ信号（ロ）に挿入しＳＯＮＥＴネットワークへ送出する信号を形成する（ホ）。
斯くして、ＳＤＨネットワークから受信した２．０４８ＭｂｐｓのＳＤＨクロック信号を、ＳＤＨ装置内でそのシンクメッセージをＳＤＨ仕様からＳＯＮＥＴ仕様変換したＯＣ−Ｎ信号を生成し、ＳＯＮＥＴネットワークへ送出できる。したがって、ＳＯＮＥＴネットワークにおいて、ＳＤＨネットワークのクロック同期に関するシンクメッセージを利用できることになる。
【００２６】
請求項５に記載の発明は、ＳＤＨ装置のクロック同期・分配機能を実現するＳＯＮＥＴ／ＳＤＨシンクメッセージ変換回路であって、ネットワークから受信したＳＴＭ−Ｎ信号（イ）に同期した１．５４４ＭｂｐｓのＳＯＮＥＴクロック信号（ロ）を生成する信号生成手段１と、ネットワークから受信したＳＴＭ−Ｎ信号（イ）のＳ１バイトからＳＤＨ仕様シンクメッセージ（ハ）を抽出するシンクメッセージ検出手段２と、抽出したＳＤＨ仕様シンクメッセージ（ハ）をＳＯＮＥＴ仕様シンクメッセージ（ニ）へ変換するシンクメッセージ変換手段４と、変換したＳＯＮＥＴ仕様シンクメッセージ（ニ）を生成したＳＯＮＥＴクロック信号（ロ）に挿入しネットワークへ出力する出力手段４とを備えることを特徴とする。
【００２７】
即ち、請求項５に記載の発明では、信号生成手段１が、ＳＤＨネットワークから受信したＳＴＭ−Ｎ信号（イ）に同期した１．５４４ＭｂｐｓのＳＯＮＥＴクロック信号（ロ）を生成し、出力手段４に送出する。
また、シンクメッセージ抽出手段２が、ＳＤＨネットワークから受信したＳＴＭ−Ｎ信号(イ）のＳ１バイトからＳＤＨ仕様シンクメッセージ(ハ）を抽出し、シンクメッセージ変換手段３が、抽出したＳＤＨ仕様シンクメッセージ（ハ）をＳＯＮＥＴ仕様シンクメッセージへ変換し、出力手段４に送出する。
【００２８】
そして、出力手段４が、変換したＳＯＮＥＴ仕様シンクメッセージ（ニ）を生成したＳＯＮＥＴクロック信号（ロ）に挿入しＳＯＮＥＴネットワークへ送出する信号を形成する。
斯くして、ＳＤＨネットワークから受信したＳＴＭ−Ｎ信号を、ＳＤＨ装置内でそのシンクメッセージをＳＤＨ仕様からＳＯＮＥＴ仕様へ変換した１．５４４ＭｂｐｓのＳＯＮＥＴクロック信号を生成し、ＳＯＮＥＴネットワークへ送出できる。したがって、ＳＯＮＥＴネットワークにおいて、ＳＤＨネットワークのクロック同期に関するシンクメッセージを利用できることになる。
【００２９】
請求項６に記載の発明は、ＳＤＨ装置のクロック同期・分配機能を実現するＳＯＮＥＴ／ＳＤＨシンクメッセージ変換回路であって、ネットワークから受信した１．５４４ＭｂｐｓのＳＯＮＥＴクロック信号（イ）に同期したＳＴＭ−Ｎ信号（ロ）を生成する信号生成手段１と、ネットワークから受信した１．５４４ＭｂｐｓのＳＯＮＥＴクロック信号（イ）からＳＯＮＥＴ仕様シンクメッセージ（ハ）を抽出するシンクメッセージ検出手段２と、抽出したＳＯＮＥＴ仕様シンクメッセージ（ハ）をＳＤＨ仕様シンクメッセージ（ニ）へ変換するシンクメッセージ変換手段３と、変換したＳＤＨ仕様シンクメッセージ（ニ）を生成したＳＴＭ−Ｎ信号（ロ）のＳ１バイトに挿入しネットワークへ出力する出力手段４とを備えることを特徴とする。
【００３０】
即ち、請求項６に記載の発明では、信号生成手段１が、ＳＯＮＥＴネットワークから受信した１．５４４ＭｂｐｓのＳＯＮＥＴクロック信号（イ）に同期したＳＴＭ−Ｎ信号（ロ）を生成し、出力手段４に送出する。
また、シンクメッセージ抽出手段２が、ＳＯＮＥＴネットワークから受信した１．５４４ＭｂｐｓのＳＯＮＥＴクロック信号（イ）からＳＯＮＥＴ仕様シンクメッセージ（ハ）を抽出し、シンクメッセージ変換手段３が、抽出したＳＯＮＥＴ仕様シンクメッセージ（ハ）をＳＤＨ仕様シンクメッセージ（ニ）へ変換し、出力手段４に送出する。
【００３１】
そして、出力手段４が、変換したＳＤＨ仕様シンクメッセージ（ニ）を、生成したＳＴＭ−Ｎ信号（ロ）のＳ１バイトに挿入しＳＤＨネットワークへ送出する信号（ホ）を形成する。
斯くして、ＳＯＮＥＴネットワークから受信した１．５４４ＭｂｐｓのＳＯＮＥＴクロック信号を、ＳＤＨ装置内でそのシンクメッセージをＳＯＮＥＴ仕様からＳＤＨ仕様へ変換したＳＴＭ−Ｎ信号を生成し、ＳＤＨネットワークへ送出できる。したがって、ＳＤＨネットワークにおいて、ＳＯＮＥＴネットワークのクロック同期に関するシンクメッセージを利用できることになる。
【００３２】
請求項７に記載の発明は、ＳＤＨ装置のクロック同期・分配機能を実現するＳＯＮＥＴ／ＳＤＨシンクメッセージ変換回路であって、ネットワークから受信したＯＣ−Ｎ信号（イ）に同期したＳＴＭ−Ｎ信号（ロ）を生成する信号生成手段１と、ネットワークから受信したＯＣ−Ｎ信号（イ）のＳ１バイトからＳＯＮＥＴ仕様シンクメッセージ（ハ）を抽出するシンクメッセージ抽出手段２と、抽出したＳＯＮＥＴ仕様シンクメッセージ(イ）をＳＤＨ仕様シンクメッセージ(ニ）へ変換するシンクメッセージ変換手段３と、変換したＳＤＨ仕様シンクメッセージ（ニ）を生成したＳＴＭ−Ｎ信号（ロ）のＳ１バイトに挿入しネットワークへ出力する出力手段４とを備えることを特徴とする。
【００３３】
即ち、請求項７に記載の発明では、信号生成手段１が、ＳＯＮＥＴネットワークから受信したＯＣ−Ｎ信号（イ）に同期したＳＴＭ−Ｎ信号（ロ）を生成し、出力手段４に送出する。
また、シンクメッセージ抽出手段２が、ＳＯＮＥＴネットワークから受信したＯＣ−Ｎクロック信号（イ）からＳＯＮＥＴ仕様シンクメッセージ（ハ）を抽出し、シンクメッセージ変換手段３が、抽出したＳＯＮＥＴ仕様シンクメッセージ（ハ）をＳＤＨ仕様シンクメッセージ（ニ）へ変換し、出力手段４に送出する。
【００３４】
そして、出力手段４が、変換したＳＤＨ仕様シンクメッセージ（ニ）を生成したＳＴＭ−Ｎ信号（ロ）のＳ１バイトに挿入しＳＤＨネットワークへ送出する信号（ホ）を形成する。
斯くして、ＳＯＮＥＴネットワークから受信したＯＣ−Ｎ信号を、ＳＤＨ装置内でそのシンクメッセージをＳＯＮＥＴ仕様からＳＤＨ仕様へ変換したＳＴＭ−Ｎ信号を生成し、ＳＤＨネットワークへ送出できる。したがって、ＳＤＨネットワークにおいて、ＳＯＮＥＴネットワークのクロック同期に関するシンクメッセージを利用できることになる。
【００３５】
請求項８に記載の発明は、ＳＤＨ装置のクロック同期・分配機能を実現するＳＯＮＥＴ／ＳＤＨシンクメッセージ変換回路であって、ネットワークから受信したＳＴＭ−Ｎ信号に同期したＯＣ−Ｎ信号を生成する信号生成手段と、ネットワークから受信したＳＴＭ−Ｎ信号（イ）のＳ１バイトからＳＤＨ仕様シンクメッセージ（ハ）を抽出するシンクメッセージ抽出手段１と、抽出したＳＤＨ仕様シンクメッセージ（ハ）をＳＯＮＥＴ仕様シンクメッセージ（ニ）へ変換するシンクメッセージ変換手段２と、変換したＳＯＮＥＴ仕様シンクメッセージ（ニ）を生成したＯＣ−Ｎ信号（ロ）のＳ１バイトに挿入しネットワークへ出力する出力手段４とを備えることを特徴とする。
【００３６】
即ち、請求項８に記載の発明では、信号生成手段１が、ＳＤＨネットワークから受信したＳＴＭ−Ｎ信号（イ）に同期したＯＣ−Ｎ信号（ロ）を生成し、出力手段４に送出する。
また、シンクメッセージ抽出手段２が、ＳＤＨネットワークから受信したＳＴＭ−Ｎ信号（イ）のＳ１バイトからＳＤＨ仕様シンクメッセージ(ハ)を抽出し、シンクメッセージ変換手段３が、抽出したＳＤＨ仕様シンクメッセージ（ハ）をＳＯＮＥＴ仕様シンクメッセージ（ニ）へ変換し、出力手段４に送出する。
【００３７】
そして、出力手段４が、変換したＳＯＮＥＴ仕様シンクメッセージ（ニ）を生成したＯＣ−Ｎ信号（ロ）に挿入しＳＯＮＥＴネットワークへ送出する信号(ホ)を形成する。
【００３８】
斯くして、ＳＤＨネットワークから受信したＳＴＭ−Ｎ信号を、ＳＤＨ装置内でそのシンクメッセージをＳＤＨ仕様からＳＯＮＥＴ仕様へ変換したＯＣ−Ｎ信号を生成し、ＳＯＮＥＴネットワークへ送出できる。したがって、ＳＯＮＥＴネットワークにおいて、ＳＤＨネットワークのクロック同期に関するシンクメッセージを利用できることになる。
【００３９】
図２は、請求項９に記載の発明の原理ブロック図である。
請求項９に記載の発明は、ＳＤＨ装置のクロック同期・分配機能を実現するＳＯＮＥＴ／ＳＤＨシンクメッセージ変換回路であって、ネットワークから受信したクロックソース（ヘ）からシンクメッセージ（ト）を抽出するシンクメッセージ抽出手段５と、抽出したシンクメッセージ（ト）のビットパターンから、抽出したシンクメッセージ（ト）がＳＯＮＥＴ仕様シンクメッセージとＳＤＨ仕様シンクメッセージとの何れであるかを識別する識別手段６と、抽出したシンクメッセージ（ト）を識別手段６が識別しない方の仕様のシンクメッセージへ変換するシンクメッセージ変換手段７と、ネットワークから受信したクロックソース(ヘ)を識別手段６が識別しない方の仕様のクロックソースへ変換するクロックソース変換手段８と、変換したシンクメッセージ(リ）を変換したクロックソース(ヌ）に挿入しネットワークへ出力する出力手段９とを備えることを特徴とする。
【００４０】
即ち、請求項９に記載の発明では、シンクメッセージ抽出手段５が、ネットワークから受信したクロックソース（ヘ）からシンクメッセージ（ト）を抽出すると、識別手段６が、抽出したシンクメッセージ（ト）のビットパターンから、抽出したシンクメッセージ（ト）がＳＯＮＥＴ仕様シンクメッセージとＳＤＨ仕様シンクメッセージとの何れであるかを識別し、その識別した仕様（チ）をシンクメッセージ変換手段７とクロックソース変換手段８とに与える。
【００４１】
シンクメッセージ変換手段７は、抽出したシンクメッセージ（ト）を識別手段６が識別しない方の仕様のシンクメッセージ（リ）へ変換し、出力手段９に与える。また、クロックソース変換手段８は、ネットワークから受信したクロックソース（ヘ）を識別手段６が識別しない方の仕様のクロックソース（ヌ）へ変換し出力手段９に与える。
【００４２】
その結果、出力手段９は、変換したシンクメッセージ（リ）を変換したクロックソース（ヌ）に挿入しネットワークへ出力する。
斯くして、ＳＤＨ装置が、ＳＤＨネットワークまたはＳＯＮＥＴネットワークに任意に配置された場合に、当該装置の入力ポートに接続されるネットワークが何れのネットワークであるかを、シンクメッセージのビットパターンから自動的に識別し、シンクメッセージを変換したクロックソースを他方のネットワークへ送出できる。したがって、ＳＤＨ（ＳＯＮＥＴ）ネットワークにおいて、ＳＯＮＥＴ（ＳＤＨ）ネットワークのクロック同期に関するシンクメッセージを利用できることになる。
【００４３】
図３は、請求項１０に記載の発明の原理ブロック図である。
請求項１０に記載の発明は、ＳＤＨ装置のクロック同期・分配機能を実現するＳＯＮＥＴ／ＳＤＨシンクメッセージ変換回路であって、ネットワークから受信したクロックソース（ヘ）からシンクメッセージ（ト）を抽出するシンクメッセージ抽出手段５と、ネットワークから受信したクロックソース（ヘ）からＣ１バイト（オ）を抽出するＣ１バイト抽出手段１０と、抽出したＣ１バイト（オ）から、抽出したシンクメッセージ（ト）がＳＯＮＥＴ仕様シンクメッセージとＳＤＨ仕様シンクメッセージとの何れであるかを識別する識別手段６と、抽出したシンクメッセージ（ト）を識別手段６が識別しない方の仕様のシンクメッセージへ変換するシンクメッセージ変換手段７と、ネットワークから受信したクロックソース（ヘ）を識別手段６が識別しない方の仕様のクロックソースへ変換するクロックソース変換手段８と、変換したシンクメッセージ（リ）を変換したクロックソース（ヌ）に挿入しネットワークへ出力する（ル）出力手段９とを備えることを特徴とする。
【００４４】
即ち、請求項１０に記載の発明では、シンクメッセージ抽出手段５が、ネットワークから受信したクロックソース(ヘ）からシンクメッセージ(ト）を抽出し、シンクメッセージ変換手段７に与える。また、Ｃ１バイト抽出手段１０が、ネットワークから受信したクロックソース（ヘ）からＣ１バイト（オ）を抽出し、識別手段６に与える。
【００４５】
そして、識別手段６が、抽出したＣ１バイト（オ）から、抽出したシンクメッセージ（ト）がＳＯＮＥＴ仕様シンクメッセージとＳＤＨ仕様シンクメッセージとの何れであるかを識別し、識別した仕様（チ）をシンクメッセージ変換手段７とクロックソース変換手段８とに与える。
シンクメッセージ変換手段７は、抽出したシンクメッセージ（ト）を識別手段６が識別しない方の仕様のシンクメッセージ（リ）へ変換し、出力手段９に与える。また、クロックソース変換手段８は、ネットワークから受信したクロックソース（ヘ）を識別手段６が識別しない方の仕様のクロックソース（ヌ）へ変換し出力手段９に与える。
【００４６】
その結果、出力手段９は、変換したシンクメッセージ（リ）を変換したクロックソース（ヌ）に挿入しネットワークへ出力する。
斯くして、ＳＤＨ装置が、ＳＤＨネットワークまたはＳＯＮＥＴネットワークに任意に配置された場合に、当該装置の入力ポートに接続されるネットワークが何れのネットワークであるかをＣ１バイトから自動的に識別し、シンクメッセージを変換したクロックソースを他方のネットワークへ送出できる。したがって、ＳＤＨ（ＳＯＮＥＴ）ネットワークにおいて、ＳＯＮＥＴ（ＳＤＨ）ネットワークのクロック同期に関するシンクメッセージを利用できることになる。
【００４７】
図４は、請求項１１に記載の発明の原理ブロック図である。
請求項１１に記載の発明は、ＳＤＨ装置のクロック同期・分配機能を実現するＳＯＮＥＴ／ＳＤＨシンクメッセージ変換回路であって、ネットワークから受信したクロックソース（ヘ）からシンクメッセージ（ト）を抽出するシンクメッセージ抽出手段５と、抽出したシンクメッセージ（ト）に付加されている識別情報（ワ）から当該シンクメッセージがＳＯＮＥＴ仕様とＳＤＨ仕様の何れの仕様であるかを識別する識別手段１１と、抽出したシンクメッセージ（ト）を識別情報で表示されない方の仕様のシンクメッセージへ変換するシンクメッセージ変換手段７と、変換したシンクメッセージ（リ）にＳＯＮＥＴ仕様とＳＤＨ仕様との識別を行う識別情報を付加する識別情報付加手段１２と、ネットワークから受信したクロックソース（ヘ）を識別情報で表示されない方の仕様のクロックソースへ変換するクロックソース変換手段８と、変換したクロックソース（ヌ）に識別情報付きシンクメッセージ（カ）を挿入しネットワークへ出力する出力手段９とを備えることを特徴とする。
【００４８】
即ち、請求項１１に記載の発明では、シンクメッセージ抽出手段５が、ネットワークから受信したクロックソース（ヘ）からシンクメッセージ（ト）を抽出すると、識別手段１１が、抽出したシンクメッセージ（ト）に付加されている識別情報（ワ）から、抽出したシンクメッセージ（ト）がＳＯＮＥＴ仕様シンクメッセージとＳＤＨ仕様シンクメッセージとの何れであるかを識別し、その識別した仕様（チ）をシンクメッセージ変換手段７とクロックソース変換手段８とに与える。
【００４９】
シンクメッセージ変換手段７は、抽出したシンクメッセージ（ト）を識別手段６が識別しない方の仕様のシンクメッセージ（リ）へ変換し、識別情報付加手段１２に与える。識別情報付加手段１２は、変換したシンクメッセージ（リ）にＳＯＮＥＴ仕様とＳＤＨ仕様との識別を行う識別情報を付加し、出力手段９に与える。また、クロックソース変換手段８は、ネットワークから受信したクロックソース（ヘ）を識別手段６が識別しない方の仕様のクロックソース（ヌ）へ変換し出力手段９に与える。
【００５０】
その結果、出力手段９は、変換したクロックソース（ヌ）に識別情報付きシンクメッセージ（カ）を挿入しネットワークへ出力する。
斯くして、ＳＤＨネットワークまたはＳＯＮＥＴネットワークに任意に配置されたＳＤＨ装置同士が、クロックソースに付加された識別情報を送受して、当該装置の入力ポートに接続されるネットワークが何れのネットワークであるかを自動的に識別し、シンクメッセージを変換したクロックソースを他方のネットワークへ送出できる。したがって、ＳＤＨ（ＳＯＮＥＴ）ネットワークにおいて、ＳＯＮＥＴ（ＳＤＨ）ネットワークのクロック同期に関するシンクメッセージを利用できることになる。
【００５１】
【発明の実施の形態】
以下、本発明の実施の形態を図面を参照して説明する。
〔請求項１乃至請求項８に対応する実施形態〕
図５は、請求項１に対応する実施形態の構成を示す。図５において、ＳＯＮＥＴ／ＳＤＨシンクメッセージ変換回路１９は、ＳＯＮＥＴ受信部２０と、クロック変換部２１と、ＳＤＨフレーム生成部２２と、シンクメッセージ変換部２３とを備える。シンクメッセージ変換部２３は、ＳＯＮＥＴ−ＳＳＭテーブル２３ａとＳＤＨ−ＳＳＭテーブル２３ｂとを備える。
【００５２】
ＳＯＮＥＴ受信部２０は、入力（ＣＬＯＣＫ  ＩＮ）がＳＯＮＥＴネットワークに接続され、出力がクロック変換部２１とＳＯＮＥＴ−ＳＳＭテーブル２３ａとに接続される。クロック変換部２１の出力は、ＳＤＨフレーム生成部２２の一方の入力に接続される。ＳＤＨフレーム生成部２２は、他方の入力がＳＤＨ−ＳＳＭテーブル２３ｂの出力に接続され、出力がＳＤＨネットワークに接続される。ＳＯＮＥＴ−ＳＳＭテーブル２３ａの出力端子とＳＤＨ−ＳＳＭテーブル２３ｂの入力端子とは、一定の対応関係（変換手順）でもって接続されている。
【００５３】
以上の構成と請求項との対応関係は、次のようになっている。信号生成手段１には、主としてクロック変換部２１が対応する。シンクメッセージ抽出手段２には、ＳＯＮＥＴ受信部２０が対応する。シンクメッセージ変換手段３には、シンクメッセージ変換部２３が対応する。出力手段４には、ＳＤＨフレーム生成部２２が対応する。
【００５４】
次に、動作を説明する。ＳＯＮＥＴ受信部２０は、ＳＯＮＥＴネットワークに接続されるＣＬＯＣＫ  ＩＮから入力された１．５Ｍｂｐｓのクロック信号を受信し、１．５ＭＨｚのクロックを抽出してクロック変換部２１に出力するとともに、ＥＳＦ  ＤａＴａ  Ｌｉｎｋから８ビット構成のＳＳＭコード(図１２参照)を検出してＳＯＮＥＴ−ＳＳＭテーブル２３ａに展開する。
【００５５】
クロック変換部２１は、位相同期回路（ＰＬＬ）を備え、ＳＯＮＥＴ受信部２０から入力された１．５ＭＨｚのクロックに同期した２ＭＨｚのクロックを生成し、ＳＤＨフレーム生成部２２に与える。
また、ＳＯＮＥＴ−ＳＳＭテーブル２３ａには、ＥＳＦ  ＤａＴａ  Ｌｉｎｋの各ＳＳＭコードが設定され、ＳＯＮＥＴ受信部２０からＳＳＭコードが入力すると、例えば最良のクロック品質を与えるＳＳＭコード｛００００１０００｝（ＰＲＳ）がＳＤＨ−ＳＳＭテーブル２３ｂに対して出力される。
【００５６】
ＳＤＨ−ＳＳＭテーブル２３ｂには、２Ｍｂｐｓの４ビット構成の各ＳＤＨ−ＳＳＭ（図１２参照）が設定され、ＳＯＮＥＴ−ＳＳＭテーブル２３ａからＰＲＳコード｛００００１０００｝が入力すると、所定の変換手順に従って（図示例では接続関係）最良のクロック品質を与えるＳＤＨ−ＳＭＭ｛００１０｝（Ｇ．８１１）が取り出され、ＳＤＨフレーム生成部２２に対して出力される。
【００５７】
このようにして、ＳＤＨ装置内において、ＳＯＮＥＴ仕様シンクメッセージ（ＳＳＭ）が所定の変換手順に従ってＳＤＨ仕様シンクメッセージ（ＳＳＭ）に変換される。
ＳＤＨフレーム生成部２２は、クロック変換部２１から入力した２ＭＨｚのクロックに従って２Ｍｂｐｓのクロック信号を生成する。このクロック信号は、ＩＴＵ−ＴＧ７０４に規定されたフレーム構成とスペアビット（Ｓａ）を持ち、ＳＤＨフレーム生成部２２は、そのスペアビットに、Synchronization StatusとしてＳＤＨ−ＳＳＭテーブル２３ｂから入力したＳＤＨ−ＳＳＭ｛００１０｝か組み込むことを行う。
【００５８】
これにより、ＳＤＨ−ＳＳＭ｛００１０｝が組み込まれた２Ｍｂｐｓのクロック信号がＣＬＯＣＫ  ＯＵＴからＳＤＨネットワークへ送出される。
図５は、ＳＯＮＥＴ仕様の１．５ＭｂｐｓのクロックをＳＤＨ仕様の２Ｍｂｐｓのクロックへ変換する場合を示すが、以上の説明から、ＳＤＨ仕様の２ＭｂｐｓのクロックをＳＯＮＥＴ仕様の１．５Ｍｂｐｓのクロックへ変換する場合も同様に構成できることは、明らかである。これが、請求項２に対応する実施形態の構成である。
【００５９】
次に、図６は、請求項１、３、６、７に対応する実施形態の構成を示す。図６において、この実施形態のＳＯＮＥＴ／ＳＤＨシンクメッセージ変換回路２９では、図５の構成に、ＳＯＮＥＴ  ＯＣ−４８  ＩＦ部３０と、マスタクロック生成部３１と、ＳＤＨ  ＳＴＭ−Ｎ  ＩＦ部３２と、シンクメッセージ変換部３３とを追加してある。シンクメッセージ変換部３３は、ＳＯＮＥＴ−ＳＳＭテーブル３３ａとＳＤＨ−ＳＳＭテーブル３３ｂとを備える。
【００６０】
ＳＯＮＥＴ  ＯＣ−４８  ＩＦ部３０は、入力（ＤＡＴＡ  ＩＮ）がＳＯＮＥＴネットワークに接続され、出力がマスタクロック生成部３１の一方の入力とＳＯＮＥＴ−ＳＳＭテーブル３３ａとＳＤＨフレーム生成部２２とに接続される。マスタクロック生成部３１は、他方の入力がクロック変換部２１の出力に接続され、出力が、ＳＤＨ  ＳＴＭ−１６ＩＦ部３２の一方の入力に接続される。ＳＤＨ  ＳＴＭ−１６ＩＦ部３２は、他方の入力にＳＤＨ−ＳＳＭテーブル３３ｂの出力が接続され、出力がＳＤＨネットワークに接続される。
【００６１】
そして、ＳＯＮＥＴ−ＳＳＭテーブル２３ａの出力端子は、ＳＤＨ−ＳＳＭテーブル２３ｂと３３ｂの対応する入力端子に接続され、同様にＳＯＮＥＴ−ＳＳＭテーブル３３ａの出力端子は、ＳＤＨ−ＳＳＭテーブル２３ｂと３３ｂの対応する入力端子に接続されている。
【００６２】
以上の構成と請求項との対応関係は、次のようになっている。信号生成手段１には、主としてクロック変換部２１、マスタクロック生成部３１が対応する。シンクメッセージ抽出手段２には、ＳＯＮＥＴ受信部２０、ＳＯＮＥＴ  ＯＣ−４８  ＩＦ部３０が対応する。シンクメッセージ変換手段３には、シンクメッセージ変換部２３、３３が対応する。出力手段４には、ＳＤＨフレーム生成部２２、ＳＤＨ  ＳＴＭ−１６  ＩＦ部３２が対応する。
【００６３】
次に、動作を説明する。図６に示すＳＯＮＥＴ／ＳＤＨシンクメッセージ変換回路２９は、ＳＯＮＥＴネットワークから入力されたＣＬＯＣＫ（１．５Ｍｂｐｓ）及びＤＡＴＡ（ＯＣ−４８信号）から受信したＳＯＮＥＴ仕様シンクメッセージ（ＳＯＮＥＴ−ＳＳＭ）をＳＤＨ仕様シンクメッセージ（ＳＤＨ−ＳＳＭ）へ変換できるが、この構成で、請求項１、３、６、７に対応する実施形態の動作が行える。請求項１に対応する実施形態の動作は、先に説明した通りである。ここでは、請求項３、６、７に対応する実施形態の動作を説明する。
【００６４】
なお、図６では、ＳＤＨネットワークにおける外部のＳＤＨ装置やＳＯＮＥＴネットワークにおける外部のＳＯＮＥＴ装置との同期接続用のＣＬＯＣＫ  ＯＵＴ機能と、当該ＳＤＨ／ＳＯＮＥＴ装置の送信クロックを選択するマスタクロック機能とが示されている。ＣＬＯＣＫ  ＯＵＴ用とマスタクロック用のタイミングソースは、ネットワークから入力されたＣＬＯＣＫまたはＤＡＴＡから任意に選択できる構成となっている。
【００６５】
（１）請求項３に対応する実施形態の動作
ＳＯＮＥＴ  ＯＣ−４８  ＩＦ部３０は、ＳＯＮＥＴネットワークに接続されるＤＡＴＡ  ＩＮから入力された２．５ＧｂｐｓのＯＣ−４８信号を受信し、２ＭＨｚのクロックを抽出してＳＤＨフレーム生成部２２とマスタクロック生成部３１とに出力すると共に、Ｚ１（Ｓ１）バイト（図１０参照）から４ビットパターンのＳＳＭ（図１２参照）の検出を行い、ＳＯＮＥＴ−ＳＳＭテーブル３３ａに展開する。
【００６６】
ＳＯＮＥＴ−ＳＳＭテーブル３３ａには、ＯＣ−４８のＺ１（Ｓ１）バイトで示される４ビット構成の各ＳＯＮＥＴ−ＳＳＭが設定され、ＳＯＮＥＴ  ＯＣ−４８  ＩＦ部３０から４ビット構成のＳＳＭが入力すると、例えば最良のクロック品質を与えるＳＯＮＥＴ−ＳＳＭ｛０００１｝（ＰＲＳ）が取り出され、ＳＤＨ−ＳＳＭテーブル２３ｂとＳＤＨ−ＳＳＭテーブル３３ｂとに対して出力される。
【００６７】
ＳＤＨ−ＳＳＭテーブル２３ｂには、前述したように、２Ｍｂｐｓの４ビットパターンの各ＳＤＨ−ＳＳＭ（図１２参照）が設定され、ＳＯＮＥＴ−ＳＳＭテーブル３３ａからＰＲＳコード｛０００１｝が入力すると、所定の変換手順に従って最良のクロック品質を与える４ビット構成のＳＤＨ−ＳＳＭ｛００１０｝（Ｇ．８１１）が取り出され、ＳＤＨフレーム生成部２２に対して出力される。
【００６８】
このようにして、ＳＤＨ装置内において、ＳＯＮＥＴ仕様シンクメッセージ（ＯＣ−４８  ＳＳＭ）がＳＤＨ仕様シンクメッセージ（２Ｍｂｐｓ  ＳＳＭ）に変換される。
ＳＤＨフレーム生成部２２は、ＳＯＮＥＴ  ＯＣ−４８  ＩＦ部３０から入力した２ＭＨｚのクロックに従って２Ｍｂｐｓのクロック信号を生成する。このクロック信号には、前述したように、スペアビットに、Synchronization StatusとしてＳＤＨ−ＳＳＭテーブル２３ｂから入力したＳＤＨ−ＳＳＭ｛００１０｝が組み込まれる。
【００６９】
これにより、ＳＤＨ−ＳＳＭ{００１０}が組み込まれた２Ｍｂｐｓのクロック信号がＣＬＯＣＫ  ＯＵＴからＳＤＨネットワークへ送出される。
なお、この請求項３に対応する実施形態の説明から、「ＳＤＨネットワークから受信したＳＴＭ−１６信号に同期した１．５ＭｂｐｓのＳＯＮＥＴクロック信号を生成するとともに、ネットワークから受信したＳＴＭ−１６信号のＳ１バイト（図１０参照）からＳＤＨ仕様シンクメッセージ(ＳＤＨ−ＳＳＭ)を抽出し、抽出したＳＤＨ−ＳＳＭをＳＯＮＥＴ仕様シンクメッセージ（ＳＯＮＥＴ−ＳＳＭ）へ変換し、変換したＳＯＮＥＴ−ＳＳＭを前記生成した１．５ＭｂｐｓのＳＯＮＥＴクロック信号に挿入しＳＯＮＥＴネットワークへ出力する構成」も採用できることが解る。これが、請求項５に対応する実施形態の構成である。
【００７０】
（２）請求項６に対応する実施形態の動作
ＳＯＮＥＴ受信部２０は、ＳＯＮＥＴネットワークに接続されるＣＬＯＣＫ  ＩＮから入力された１．５Ｍｂｐｓのクロック信号を受信し、１．５ＭＨｚのクロックを抽出してクロック変換部２１に出力するとともに、ＥＳＦ  ＤａＴａ  ＬｉｎｋからＳＳＭコード（図１２参照）の検出を行い、ＳＯＮＥＴ−ＳＳＭテーブル２３ａに展開する。
【００７１】
クロック変換部２１は、位相同期回路（ＰＬＬ）を備え、ＳＯＮＥＴ受信部２０から入力された１．５ＭＨｚのクロックに同期した２ＭＨｚのクロックを生成し、マスタクロック生成部３１とＳＤＨフレーム生成部２２とに与える。
マスタクロック生成部３１は、位相同期回路（ＰＬＬ）を備え、クロック変換部２１から入力された２ＭＨｚのクロックに同期した２ＭＨｚのマスタクロックを生成し、ＳＤＨ  ＳＴＭ−１６  ＩＦ部３２に与える。
【００７２】
ＳＯＮＥＴ−ＳＳＭテーブル２３ａには、前述したようにＥＳＦ  ＤａＴａ  Ｌｉｎｋの各ＳＳＭコードが設定され、ＳＯＮＥＴ受信部２０からＳＳＭコードが入力すると、例えば最良のクロック品質を与えるＳＳＭコード｛００００１０００｝（ＰＲＳ）が取り出され、ＳＤＨ−ＳＳＭテーブル３３ｂ（とＳＤＨ−ＳＳＭテーブル２３ｂと）に対して出力される。
【００７３】
また、ＳＤＨ−ＳＳＭテーブル３３ｂには、ＳＴＭ−１６のＺ１（Ｓ１）バイトで示される（図１０参照）４ビット構成の各ＳＤＨ−ＳＳＭ（図１２参照）が設定され、ＳＯＮＥＴ−ＳＳＭテーブル２３ａからＰＲＳコード｛００００１０００｝が入力すると、最良のクロック品質を与える４ビットパターンのＳＤＨ−ＳＭＭ｛００１０｝（Ｇ．８１１）が取り出され、ＳＤＨ  ＳＴＭ−１６  ＩＦ部３２に対して出力される。
【００７４】
このようにして、ＳＤＨ装置内において、ＳＯＮＥＴ仕様シンクメッセージ（１．５Ｍｂｐｓ  ＳＳＭ）がＳＤＨ仕様シンクメッセージ（ＳＤＨ  ＳＳＭ）に変換される。
ＳＤＨ  ＳＴＭ−１６  ＩＦ部３２は、マスタクロック生成部３１から入力した２ＭＨｚのマスタクロックに従ってＳＴＭ−１６信号の伝送フレームを生成する。この伝送フレームは、２．５Ｇｂｐｓのデータ速度のもので、「セクションオーバーヘッド」と情報を乗せる「ペイロード」とからなるが、ＳＤＨ  ＳＴＭ−１６  ＩＦ部３２は、「セクションオーバーヘッド」のＺ１バイトの下位４ビット（Ｓ１バイト：図１０参照）に、ＳＤＨ−ＳＳＭテーブル３３ｂから入力したＳＤＨ−ＳＳＭ｛００１０｝を組み込むことを行う。
【００７５】
これにより、ＳＤＨ−ＳＳＭ｛００１０｝を組み込まれたＳＴＭ−１６信号の伝送フレームがＤＡＴＡ  ＯＵＴからＳＤＨネットワークへ送出される。
なお、この請求項６に対応する実施形態の説明から、「ＳＤＨネットワークから受信した２ＭｂｐｓのＳＤＨクロック信号に同期したＯＣ−４８信号を生成すると共に、ＳＤＨネットワークから受信した２ＭｂｐｓのＳＤＨクロック信号からＳＤＨ−ＳＳＭを抽出し、抽出したＳＤＨ−ＳＳＭをＳＯＮＥＴ−ＳＳＭへ変換し、変換したＳＯＮＥＴ−ＳＳＭを前記生成したＯＣ−４８信号のＳ１バイト（図１０参照）に挿入してＳＯＮＥＴネットワークへ出力する構成」も採用できることが解る。これが、請求項４に対応する実施形態の構成である。
【００７６】
（３）請求項７に対応する実施形態の動作
ＳＯＮＥＴ  ＯＣ−４８  ＩＦ部３０は、ＳＯＮＥＴネットワークに接続されるＤＡＴＡ  ＩＮから入力された２．５ＧｂｐｓのＯＣ−４８信号を受信し、２ＭＨｚのクロックを抽出してマスタクロック生成部３１とＳＤＨフレーム生成部２２に出力するとともに、Ｓ１バイトから４ビット構成のＳＳＭ（図１２参照）の検出を行い、ＳＯＮＥＴ−ＳＳＭテーブル３３ａに展開する。
【００７７】
ＳＯＮＥＴ−ＳＳＭテーブル３３ａには、ＯＣ−４８のＳ１バイトで示される４ビット構成の各ＳＯＮＥＴ−ＳＳＭ（図１２参照）が設定され、ＳＯＮＥＴ  ＯＣ−４８  ＩＦ部３０からＳＳＭが入力すると、例えば最良のクロック品質を与えるＳＯＮＥＴ−ＳＳＭ｛０００１｝（ＰＲＳ）が取り出され、ＳＤＨ−ＳＳＭテーブル３３ｂとＳＤＨ−ＳＳＭテーブル２３ｂに対して出力される。
【００７８】
マスタクロック生成部３１は、位相同期回路（ＰＬＬ）を備え、ＳＯＮＥＴ  ＯＣ−４８  ＩＦ部３０から入力された２ＭＨｚのクロックに同期した２ＭＨｚのマスタクロックを生成し、ＳＤＨ  ＳＴＭ−１６  ＩＦ部３２に与える。
ＳＤＨ  ＳＴＭ−１６  ＩＦ部３２は、マスタクロック生成部３１から入力した２ＭＨｚのマスタクロックに従ってＳＴＭ−１６信号の伝送フレームを生成する。この伝送フレームは、２．５Ｇｂｐｓのデータ速度のもので、前述したように、「セクションオーバーヘッド」と情報を乗せる「ペイロード」とからなる。ＳＤＨ  ＳＴＭ−１６  ＩＦ部３２は、「セクションオーバーヘッド」のＺ１バイトの下位４ビットに、ＳＤＨ−ＳＳＭテーブル３３ｂから入力したＳＤＨ−ＳＳＭ｛００１０｝を組み込むことを行う。これにより、ＳＤＨ−ＳＳＭ｛００１０｝が組み込まれたＳＴＭ−１６信号の伝送フレームが、ＤＡＴＡ  ＯＵＴからＳＤＨネットワークへ送出される。
【００７９】
なお、この請求項７に対応する実施形態の説明から、「ＳＤＨネットワークから受信したＳＴＭ−１６信号に同期したＯＣ−４８信号を生成すると共に、ＳＤＨネットワークから受信したＳＴＭ−１６信号のＳ１バイトからＳＤＨ−ＳＳＭを抽出し、抽出したＳＤＨ−ＳＳＭをＳＯＮＥＴ−ＳＳＭへ変換し、変換したＳＯＮＥＴ−ＳＳＭを前記生成したＯＣ−４８信号のＳ１バイトに挿入しＳＯＮＥＴネットワークへ出力する構成」も採用できることが解る。これが、請求項８に対応する実施形態の構成である。
【００８０】
〔請求項９、１０に対応する実施形態〕
図７は、請求項９に対応する第１実施形態の構成を示す。図７において、ＳＯＮＥＴ／ＳＤＨシンクメッセージ変換回路３９は、ＳＯＮＥＴ／ＳＤＨクロック信号ＳＳＭ自動識別回路４０と、クロック変換部４１と、ＳＤＨフレーム生成部４２と、シンクメッセージ変換部４３とを備える。シンクメッセージ変換部４３は、ＳＯＮＥＴ−ＳＳＭテーブル４３ａとＳＤＨ−ＳＳＭテーブル４３ｂと変換手順選択回路４３ｃとＳＤＨ−ＳＳＭテーブル４３ｄとを備える。
【００８１】
ＳＯＮＥＴ／ＳＤＨクロック信号ＳＳＭ自動識別回路４０は、入力（ＣＬＯＣＫ  ＩＮ）がＳＯＮＥＴ／ＳＤＨのネットワークに接続され、出力がクロック変換部４１とＳＤＨフレーム生成部４２とＳＯＮＥＴ−ＳＳＭテーブル４３ａとＳＤＨ−ＳＳＭテーブル４３ｂと変換手順選択回路４３ｃとに接続される。
クロック変換部４１の出力は、ＳＤＨフレーム生成部２２に接続される。ＳＤＨフレーム生成部４２には、ＳＤＨ−ＳＳＭテーブル４３ｄの出力が接続され、出力がＳＤＨネットワークに接続される。ＳＯＮＥＴ−ＳＳＭテーブル４３ａの出力端子とＳＤＨ−ＳＳＭテーブル４３ｂの出力端子とは、変換手順選択回路４３ｃに接続され、変換手順選択回路４３ｃの出力がＳＤＨ−ＳＳＭテーブル４３ｂの入力端子に接続される。
【００８２】
以上の構成と請求項との対応関係は、次のようになっている。シンクメッセージ抽出手段５、識別手段６には、ＳＯＮＥＴ／ＳＤＨクロック信号ＳＳＭ自動識別回路４０が対応する。シンクメッセージ変換手段７には、シンクメッセージ変換部４３が対応する。クロックソース変換手段８には、クロック変換部４１が対応する。出力手段４には、ＳＤＨフレーム生成部４２が対応する。
【００８３】
次に、動作を説明する。ＳＯＮＥＴ／ＳＤＨクロック信号ＳＳＭ自動識別回路４０には、ネットワークに接続されるＣＬＯＣＫ  ＩＮから、当該ネットワークがＳＯＮＥＴネットワークである場合には１．５ＭｂｐｓのＳＯＮＥＴクロック信号が入力し、また当該ネットワークがＳＤＨネットワークである場合には２ＭｂｐｓのＳＤＨクロック信号が入力する。
【００８４】
ＳＯＮＥＴ／ＳＤＨクロック信号ＳＳＭ自動識別回路４０は、次の３つの動作を行う。
第１は、ネットワークから入力するクロック信号が、ＳＯＮＥＴクロック信号であるか、ＳＤＨクロック信号であるかを周波数の相違から、または、Ｚ１（Ｓ１）バイト（図１０参照）のコード仕様がＳＯＮＥＴ仕様かＳＤＨ仕様かによって識別し、識別した内容を示す選択信号ＳＯＮＥＴ／ＳＤＨをＳＤＨフレーム生成部４２と変換手順選択回路４３ｃとに出力する。
【００８５】
第２は、識別したクロック信号がＳＯＮＥＴクロック信号である場合は抽出した１．５Ｍｂｐｓをクロック変換部４１に与え、識別したクロック信号がＳＤＨクロック信号である場合は、抽出した２ＭｂｐｓをＳＤＨフレーム生成部４２に与える。
第３は、識別したクロック信号がＳＯＮＥＴクロック信号である場合は、ＥＳＦ  ＤａＴａ  ＬｉｎｋからＳＳＭコード（図１２参照）の検出を行い、ＳＯＮＥＴ−ＳＳＭテーブル４３ａに展開する。また、識別したクロック信号がＳＤＨクロック信号である場合は、２Ｍｂｐｓの４ビット構成のＳＳＭを抽出し、ＳＤＨ−ＳＳＭテーブル４３ｂに展開する。
【００８６】
クロック変換部４１は、位相同期回路（ＰＬＬ）を備え、ＳＯＮＥＴ／ＳＤＨクロック信号ＳＳＭ自動識別回路４０から入力された１．５ＭＨｚのクロックに同期した２ＭＨｚのクロックを生成し、ＳＤＨフレーム生成部４２に与える。
ＳＯＮＥＴ−ＳＳＭテーブル４３ａには、ＥＳＦ  ＤａＴａ  Ｌｉｎｋの各ＳＳＭコードが設定され、ＳＯＮＥＴ／ＳＤＨクロック信号ＳＳＭ自動識別回路４０からＳＳＭコードが入力すると、例えば最良のクロック品質を与えるＳＳＭコード｛００００１０００｝（ＰＲＳ）が取り出され、変換手順選択回路４３ｃに対して出力される。
【００８７】
また、ＳＤＨ−ＳＳＭテーブル４３ｂには、２Ｍｂｐｓの各ＳＤＨ−ＳＳＭ（図１２参照）が設定され、ＳＯＮＥＴ／ＳＤＨクロック信号ＳＳＭ自動識別回路４０から４ビット構成のＳＳＭが入力すると、最良のクロック品質を与えるＳＤＨ−ＳＭＭ｛００１０｝（Ｇ．８１１）が取り出され、変換手順選択回路４３ｃに対して出力される。
【００８８】
変換手順選択回路４３ｃは、ＳＯＮＥＴ／ＳＤＨクロック信号ＳＳＭ自動識別回路４０から選択信号ＳＯＮＥＴ／ＳＤＨを受けて、ＳＯＮＥＴが指定された場合には、ＳＯＮＥＴ−ＳＳＭテーブル４３ａからのＳＳＭコード（ＰＲＳ）｛００００１０００｝を選択し、ＳＤＨが指定された場合には、ＳＤＨ−ＳＳＭテーブル４３ｂからのＳＭＭ（Ｇ．８１１）｛００１０｝を選択し、それぞれＳＤＨ−ＳＳＭテーブル４３ｄに与える。これによりＳＤＨ−ＳＳＭテーブル４３ｄからＳＤＨ−ＳＭＭ｛００１０｝（Ｇ．８１１）が取り出され、ＳＤＨ  ＳＴＭ−１６  ＩＦ部４２に対し出力される。
【００８９】
ＳＤＨフレーム生成部４２は、ＳＯＮＥＴ／ＳＤＨクロック信号ＳＳＭ自動識別回路４０から選択信号ＳＯＮＥＴ／ＳＤＨを受けて、ＳＯＮＥＴが指定された場合には、クロック変換部４１から入力した２ＭＨｚのクロックに従って２Ｍｂｐｓのクロック信号を生成し、ＳＤＨが指定された場合には、ＳＯＮＥＴ／ＳＤＨクロック信号ＳＳＭ自動識別回路４０から入力した２ＭＨｚのクロックに従って２Ｍｂｐｓのクロック信号を生成する。
【００９０】
その際に、「セクションオーバーヘッド」のＺ１バイトの下位４ビットに、ＳＤＨ−ＳＳＭテーブル４３ｄから入力したＳＤＨ−ＳＳＭ｛００１０｝を組み込むことを行う。これにより、ＳＤＨ−ＳＳＭ{００１０}が組み込まれた２Ｍｂｐｓのクロック信号がＣＬＯＣＫ  ＯＵＴからＳＤＨネットワークへ送出される。
【００９１】
次いで、図８は、請求項９に対応する第２実施形態の構成を示す。図８において、ＳＯＮＥＴ／ＳＤＨシンクメッセージ変換回路４９は、ＳＯＮＥＴ／ＳＤＨデータ信号ＳＳＭ自動識別回路５０と、マスタクロック生成部５１と、ＳＤＨ  ＳＴＭ−１６  ＩＦ部５２と、シンクメッセージ変換部５３とを備える。シンクメッセージ変換部５３は、ＳＯＮＥＴ−ＳＳＭテーブル５３ａとＳＤＨ−ＳＳＭテーブル５３ｂと変換手順選択回路５３ｃとＳＤＨ−ＳＳＭテーブル５３ｄとを備える。
【００９２】
ＳＯＮＥＴ／ＳＤＨデータ信号ＳＳＭ自動識別回路５０は、入力（ＤＡＴＡ  ＩＮ）がＳＯＮＥＴ／ＳＤＨのネットワークに接続され、出力がマスタクロック生成部５１とＳＯＮＥＴ−ＳＳＭテーブル５３ａとＳＤＨ−ＳＳＭテーブル５３ｂと変換手順選択回路５３ｃとに接続される。
マスタクロック生成部５１の出力は、ＳＤＨ  ＳＴＭ−１６  ＩＦ部５２に接続される。ＳＤＨ  ＳＴＭ−１６  ＩＦ部５２には、ＳＤＨ−ＳＳＭテーブル５３ｄの出力が接続され、出力がＳＤＨネットワークに接続される。ＳＯＮＥＴ−ＳＳＭテーブル５３ａの出力端子とＳＤＨ−ＳＳＭテーブル５３ｂの出力端子とは、変換手順選択回路５３ｃに接続され、変換手順選択回路５３ｃの出力がＳＤＨ−ＳＳＭテーブル５３ｂの入力端子に接続される。
【００９３】
以上の構成と請求項との対応関係は、次のようになっている。シンクメッセージ抽出手段５、識別手段６には、ＳＯＮＥＴ／ＳＤＨデータ信号ＳＳＭ自動識別回路５０が対応する。シンクメッセージ変換手段７には、シンクメッセージ変換部５３が対応する。クロックソース変換手段８には、マスタクロック生成部５１が対応する。出力手段４には、ＳＤＨ  ＳＴＭ−１６  ＩＦ部５２が対応する。
【００９４】
次に、動作を説明する。ＳＯＮＥＴ／ＳＤＨデータ信号ＳＳＭ自動識別回路５０には、ネットワークに接続されるＤＡＴＡ  ＩＮから、当該ネットワークがＳＯＮＥＴネットワークである場合にはＯＣ−４８のＳＯＮＥＴデータ信号が入力し、また当該ネットワークがＳＤＨネットワークである場合にはＳＴＭ−１６のＳＤＨデータ信号が入力する。
【００９５】
ＳＯＮＥＴ／ＳＤＨデータ信号ＳＳＭ自動識別回路５０は、次の３つの動作を行う。
第１は、ネットワークから入力するデータ信号が、ＳＯＮＥＴデータ信号であるか、ＳＤＨデータ信号であるかをＺ１（Ｓ１）バイト（図１０参照）のコードがＳＯＮＥＴ仕様とＳＤＨ仕様の何れであるかによって識別し、識別した内容を示す選択信号ＳＯＮＥＴ／ＳＤＨを変換手順選択回路５３ｃに出力する。
【００９６】
第２は、入力したデータ信号から２ＭＨｚのクロックを抽出し、マスタクロック生成部５１に与える。
第３は、識別したデータ信号がＳＯＮＥＴデータ信号である場合は、ＯＣ−４８信号のＺ１バイトの下位４ビット(Ｓ１バイト)からなるＳＳＭ（図１２参照）の検出を行い、ＳＯＮＥＴ−ＳＳＭテーブル５３ａに展開する。また、識別したデータ信号がＳＤＨデータ信号である場合は、ＳＴＭ−１６信号のＺ１バイトの下位４ビット（Ｓ１バイト）からなるＳＳＭを抽出し、ＳＤＨ−ＳＳＭテーブル５３ｂに展開する。
【００９７】
マスタクロック生成部５１は、位相同期回路（ＰＬＬ）を備え、ＳＯＮＥＴ／ＳＤＨデータ信号ＳＳＭ自動識別回路５０から入力された２ＭＨｚのクロックに同期した２ＭＨｚのクロックを生成し、ＳＤＨ  ＳＴＭ−１６  ＩＦ部５２に与える。
ＳＯＮＥＴ−ＳＳＭテーブル５３ａには、ＯＣ−４８信号のＺ１バイトの下位４ビット（Ｓ１バイト）で示される各ＳＯＮＥＴ−ＳＳＭ（図１２参照）が設定され、ＳＯＮＥＴ／ＳＤＨデータ信号ＳＳＭ自動識別回路５０から４ビット構成のＳＳＭが入力すると、例えば最良のクロック品質を与えるＳＯＮＥＴ−ＳＳＭ｛０００１｝（ＰＲＳ）が取り出され、変換手順選択回路５３ｃに対して出力される。
【００９８】
また、ＳＤＨ−ＳＳＭテーブル５３ｂには、ＳＴＭ−１６信号のＺ１バイトの下位４ビット（Ｓ１バイト）で示される各ＳＤＨ−ＳＳＭ（図１２参照）が設定され、ＳＯＮＥＴ／ＳＤＨデータ信号ＳＳＭ自動識別回路５０から４ビット構成のＳＳＭが入力すると、最良のクロック品質を与えるＳＤＨ−ＳＭＭ{００１０}（Ｇ．８１１）が取り出され、変換手順選択回路５３ｃに対して出力される。
【００９９】
変換手順選択回路５３ｃは、ＳＯＮＥＴ／ＳＤＨデータ信号ＳＳＭ自動識別回路５０から選択信号ＳＯＮＥＴ／ＳＤＨを受けて、ＳＯＮＥＴが指定された場合には、ＳＯＮＥＴ−ＳＳＭテーブル５３ａからのＳＳＭ｛０００１｝（ＰＲＳ）を選択し、ＳＤＨが指定された場合には、ＳＤＨ−ＳＳＭテーブル５３ｂからのＳＭＭ｛００１０｝（Ｇ．８１１）を選択し、それぞれＳＤＨ−ＳＳＭテーブル５３ｄに与える。これによりＳＤＨ−ＳＳＭテーブル５３ｄからＳＤＨ−ＳＭＭ｛００１０｝（Ｇ．８１１）が取り出され、ＳＤＨ  ＳＴＭ−１６  ＩＦ部５２に対しが出力される。
【０１００】
ＳＤＨ  ＳＴＭ−１６  ＩＦ部５２は、マスタクロック生成部５１から入力した２ＭＨｚのクロックに従ってＳＴＭ−１６信号の伝送フレームを生成する。その際に、「セクションオーバーヘッド」のＺ１バイトの下位４ビット（Ｓ１バイト：図１０参照）に、ＳＤＨ−ＳＳＭテーブル５３ｄから入力したＳＤＨ−ＳＭＭ｛００１０｝を組み込むことを行う。これにより、ＳＤＨ−ＳＳＭ{００１０}が組み込まれた２Ｍｂｐｓの伝送フレームが、ＤＡＴＡ  ＯＵＴからＳＤＨネットワークへ送出される。
【０１０１】
なお、請求項９に対応する第１、第２の実施形態では、ＳＯＮＥＴ／ＳＤＨのネットワークから取り込んだクロックソースを識別し、変換してＳＤＨネットワークへ送出する場合を示したが、ＳＯＮＥＴネットワークへ送出する場合も同様に構成できる。
また、ＳＯＮＥＴ／ＳＤＨのネットワークから取り込んだクロックソースの識別では、セクションオーバーヘッドの「Ｃ１」バイトの内容から判定するようにしても良い。即ち、これが請求項１０に対応する実施形態の構成である。
【０１０２】
〔請求項１１に対応する実施形態〕
図９は、請求項１１に対応する実施形態の構成である。図９において、ＳＯＮＥＴ／ＳＤＨシンクメッセージ変換回路５９は、図８において、ＳＯＮＥＴ／ＳＤＨデータ信号ＳＳＭ自動識別回路５０に代えて、ＳＯＮＥＴ／ＳＤＨシンク・トレース検出回路６０とし、またＳＤＨ  ＳＴＭ−１６  ＩＦ部５２に若干の機能を追加してＳＤＨ  ＳＴＭ−１６  ＩＦ部６２としたものである。
【０１０３】
ＳＯＮＥＴ／ＳＤＨシンク・トレース検出回路６０は、入力(ＤＡＴＡ  ＩＮ)がＳＯＮＥＴ／ＳＤＨのネットワークに接続され、出力がマスタクロック生成部５１とＳＯＮＥＴ−ＳＳＭテーブル５３ａとＳＤＨ−ＳＳＭテーブル５３ｂと変換手順選択回路５３ｃとに接続される。
以上の構成と請求項との対応関係は、次のようになっている。シンクメッセージ抽出手段５、識別手段１１には、ＳＯＮＥＴ／ＳＤＨシンク・トレース検出回路６０が対応する。シンクメッセージ変換手段７には、シンクメッセージ変換部５３が対応する。クロックソース変換手段８には、マスタクロック生成部５１が対応する。出力手段４、識別情報付加手段１２には、ＳＤＨ  ＳＴＭ−１６  ＩＦ部６２が対応する。
【０１０４】
次に、動作を説明する。ＳＯＮＥＴ／ＳＤＨシンク・トレース検出回路６０には、ネットワークに接続されるＤＡＴＡ  ＩＮから、当該ネットワークがＳＯＮＥＴネットワークである場合にはＯＣ−４８のＳＯＮＥＴデータ信号が入力し、また当該ネットワークがＳＤＨネットワークである場合にはＳＴＭ−１６のＳＤＨデータ信号が入力する。
【０１０５】
図１０は、オーバーヘッドのＺ１バイトの構成例である。図１０に示すように、Ｚ１バイトを構成するｂ１〜ｂ８の８ビットのうち、ｂ５〜ｂ８の下位４ビット（Ｓ１バイト）には、図１２に示したＳＳＭのビットパターン（ＳＳＭＢ）が設定されている。この実施形態では、ｂ１〜ｂ４の上位４ビットが、従来空きビットであった点に着目し、このｂ１〜ｂ４の上位４ビットに、シンク・トレース（識別情報）を設定する。このシンク・トレース（識別情報）は、図１０に示すように、例えば、｛００００｝をＳＤＨ仕様シンク・トレースとし、｛１１１１｝をＳＯＮＥＴ仕様シンク・トレースとする。
【０１０６】
ネットワークからＳＯＮＥＴ／ＳＤＨシンク・トレース検出回路６０に入力するＯＣ−４８信号やＳＴＭ−１６信号のＺ１バイトには、これらのシンク・トレース（識別情報）が付加されている。
ＳＯＮＥＴ/ＳＤＨシンク・トレース検出回路６０は、次の３つの動作を行う。
第１は、ネットワークから入力するデータ信号が、ＳＯＮＥＴデータ信号であるか、ＳＤＨデータ信号であるかをＺ１バイト中のシンク・トレース（識別情報）によって識別し、識別した内容を示す選択信号ＳＯＮＥＴ／ＳＤＨを変換手順選択回路５３ｃとＳＤＨ  ＳＴＭ−１６  ＩＦ部６２とに出力する。
【０１０７】
第２は、入力したデータ信号から２ＭＨｚのクロックを抽出し、マスタクロック生成部５１に与える。
第３は、識別したデータ信号がＳＯＮＥＴデータ信号である場合は、ＯＣ−４８信号のＺ１バイトの下位ビット（Ｓ１バイト）からなるＳＳＭ（図１２参照）の検出を行い、ＳＯＮＥＴ−ＳＳＭテーブル５３ａに展開する。また、識別したデータ信号がＳＤＨデータ信号である場合は、ＳＴＭ−１６信号のＺ１バイトの下位４ビット（Ｓ１バイト）からなるＳＳＭを抽出し、ＳＤＨ−ＳＳＭテーブル５３ｂに展開する。
【０１０８】
ＳＤＨ  ＳＴＭ−１６  ＩＦ部６２は、マスタクロック生成部５１から入力した２ＭＨｚのクロックに従ってＳＴＭ−１６信号の伝送フレームを生成し、ＤＡＴＡ  ＯＵＴからＳＤＨネットワークへ送出する。その際に、ＳＤＨ  ＳＴＭ−１６  ＩＦ部５２と同様に、「セクションオーバーヘッド」のＺ１バイトの下位４ビット（Ｓ１バイト）に、ＳＤＨ−ＳＳＭテーブル５３ｄから入力した｛００１０｝を組み込むことを行うが、この実施形態では、選択信号ＳＯＮＥＴ／ＳＤＨを受けて、更に次の処理を行う。
【０１０９】
即ち、ＳＤＨ  ＳＴＭ−１６  ＩＦ部６２は、Ｚ１バイトのｂ１〜ｂ４の上位４ビットに、選択信号ＳＯＮＥＴ／ＳＤＨがＳＤＨの指定である場合には、｛００００｝を設定し、ＳＯＮＥＴの指定である場合には、{１１１１}を設定する。なお、請求項１１に対応する実施形態では、ＳＯＮＥＴ／ＳＤＨのネットワークから取り込んだクロックソースを識別し、変換し、識別情報を付加してＳＤＨネットワークへ送出する場合を示したが、ＳＯＮＥＴネットワークへ送出する場合も同様に構成できる。
【０１１０】
【発明の効果】
以上説明したように、請求項１に記載の発明では、ＳＯＮＥＴネットワークから受信した１．５４４ＭｂｐｓのＳＯＮＥＴクロック信号を、ＳＤＨ装置内でそのシンクメッセージをＳＯＮＥＴ仕様からＳＤＨ仕様へ変換した２．０４８ＭｂｐｓのＳＤＨクロック信号を生成し、ＳＤＨネットワークへ送出できるので、ＳＤＨネットワークにおいて、ＳＯＮＥＴネットワークのクロック同期に関するシンクメッセージを利用できる。
【０１１１】
請求項２に記載の発明では、ＳＤＨネットワークから受信した２．０４８ＭｂｐｓのＳＤＨクロック信号を、ＳＤＨ装置内でそのシンクメッセージをＳＤＨ仕様からＳＯＮＥＴへ変換した１．５４４ＭｂｐｓのＳＯＮＥＴクロック信号を生成し、ＳＯＮＥＴネットワークへ送出できるので、ＳＯＮＥＴネットワークにおいて、ＳＤＨネットワークのクロック同期に関するシンクメッセージを利用できる。
【０１１２】
請求項３に記載の発明では、ＳＯＮＥＴネットワークから受信したＯＣ−Ｎ信号を、ＳＤＨ装置内でそのシンクメッセージをＳＯＮＥＴ仕様からＳＤＨ仕様へ変換した２．０４８ＭｂｐｓのＳＤＨクロック信号を生成し、ＳＤＨネットワークへ送出できるので、ＳＤＨネットワークにおいて、ＳＯＮＥＴネットワークのクロック同期に関するシンクメッセージを利用できる。
【０１１３】
請求項４に記載の発明では、ＳＤＨネットワークから受信した２．０４８ＭｂｐｓのＳＤＨクロック信号を、ＳＤＨ装置内でそのシンクメッセージをＳＤＨ仕様からＳＯＮＥＴ仕様変換したＯＣ−Ｎ信号を生成し、ＳＯＮＥＴネットワークへ送出できるので、ＳＯＮＥＴネットワークにおいて、ＳＤＨネットワークのクロック同期に関するシンクメッセージを利用できる。
【０１１４】
請求項５に記載の発明では、ＳＤＨネットワークから受信したＳＴＭ−Ｎ信号を、ＳＤＨ装置内でそのシンクメッセージをＳＤＨ仕様からＳＯＮＥＴ仕様へ変換した１．５４４ＭｂｐｓのＳＯＮＥＴクロック信号を生成し、ＳＯＮＥＴネットワークへ送出できるので、ＳＯＮＥＴネットワークにおいて、ＳＤＨネットワークのクロック同期に関するシンクメッセージを利用できる。
【０１１５】
請求項６に記載の発明では、ＳＯＮＥＴネットワークから受信した１．５４４ＭｂｐｓのＳＯＮＥＴクロック信号を、ＳＤＨ装置内でそのシンクメッセージをＳＯＮＥＴ仕様からＳＤＨ仕様へ変換したＳＴＭ−Ｎ信号を生成し、ＳＤＨネットワークへ送出できるので、ＳＤＨネットワークにおいて、ＳＯＮＥＴネットワークのクロック同期に関するシンクメッセージを利用できる。
【０１１６】
請求項７に記載の発明では、ＳＯＮＥＴネットワークから受信したＯＣ−Ｎ信号を、ＳＤＨ装置内でそのシンクメッセージをＳＯＮＥＴ仕様からＳＤＨ仕様へ変換したＳＴＭ−Ｎ信号を生成し、ＳＤＨネットワークへ送出できる。したがって、ＳＤＨネットワークにおいて、ＳＯＮＥＴネットワークのクロック同期に関するシンクメッセージを利用できる。
【０１１７】
請求項８に記載の発明では、ＳＤＨネットワークから受信したＳＴＭ−Ｎ信号を、ＳＤＨ装置内でそのシンクメッセージをＳＤＨ仕様からＳＯＮＥＴ仕様へ変換したＯＣ−Ｎ信号を生成し、ＳＯＮＥＴネットワークへ送出できるので、ＳＯＮＥＴネットワークにおいて、ＳＤＨネットワークのクロック同期に関するシンクメッセージを利用できる。
【０１１８】
請求項９、１０に記載の発明では、ＳＤＨ装置が、ＳＤＨネットワークまたはＳＯＮＥＴネットワークに任意に配置された場合に、当該装置の入力ポートに接続されるネットワークが何れのネットワークであるかを、シンクメッセージのビットパターン、Ｃ１バイトから自動的に識別し、シンクメッセージを変換したクロックソースを他方のネットワークへ送出できるので、ＳＤＨ（ＳＯＮＥＴ）ネットワークにおいて、ＳＯＮＥＴ（ＳＤＨ）ネットワークのクロック同期に関するシンクメッセージを利用できる。
【０１１９】
請求項１１に記載の発明では、ＳＤＨネットワークまたはＳＯＮＥＴネットワークに任意に配置されたＳＤＨ装置同士が、クロックソースに付加された識別情報を送受して、当該装置の入力ポートに接続されるネットワークが何れのネットワークであるかを自動的に識別し、シンクメッセージを変換したクロックソースを他方のネットワークへ送出できるので、ＳＤＨ（ＳＯＮＥＴ）ネットワークにおいて、ＳＯＮＥＴ（ＳＤＨ）ネットワークのクロック同期に関するシンクメッセージを利用できる。
【０１２０】
斯くして、本発明によれば、ＳＤＨネットワークとＳＯＮＥＴネットワークとを同一のクロック同期系として扱うことができるので、両ネットワークを相互接続した場合に１つのネットワークとして運用できる利点がある。
【図面の簡単な説明】
【図１】請求項１乃至請求項８に記載の発明の原理ブロック図である。
【図２】請求項９に記載の発明の原理ブロック図である。
【図３】請求項１０に記載の発明の原理ブロック図である。
【図４】請求項１１に記載の発明の原理ブロック図である。
【図５】請求項１に対応する実施形態の構成図である。
【図６】請求項１、３、６、７に対応する実施形態の構成図である。
【図７】請求項９に対応する第１実施形態の構成図である。
【図８】請求項９に対応する第２実施形態の構成図である。
【図９】請求項１１に対応する実施形態の構成図である。
【図１０】セクションオーバーヘッドのＺ１（Ｓ１）バイトの構成図である。
【図１１】ＳＤＨネットワークの伝送形態を規定するフレーム構成におけるセクションオーバーヘッドの構成図である。
【図１２】ＩＴＵ−Ｔ（ＳＤＨ）−ＳＳＭ仕様とＳＯＮＥＴ仕様の比較図である。
【図１３】ネットワーク接続時のクロック同期系の構成例（独立同期）である。
【図１４】ネットワーク接続時のクロック同期系の構成例（従属同期）である。
【符号の説明】
１  信号生成手段
２、５  シンクメッセージ抽出手段
３、７  シンクメッセージ変換手段
４、９  出力手段
６、１１  識別手段
８  クロックソース変換手段
１０  Ｃ１バイト抽出手段
１９、２９、３９、４９、５９  ＳＯＮＥＴ／ＳＤＨシンクメッセージ変換回路
２０  ＳＯＮＥＴ受信部
２１、４１  クロック変換部
２２、４２  ＳＤＨフレーム生成部
２３、３３  シンクメッセージ変換部
２３ａ、３３ａ、４３ａ  ＳＯＮＥＴ−ＳＳＭテーブル
２３ｂ、３３ｂ、４３ｂ、４３ｄ  ＳＤＨ−ＳＳＭテーブル
３０  ＳＯＮＥＴ  ＯＣ−４８  ＩＦ部
３１、５１  マスタクロック生成部
３２、５２、６２  ＳＤＨ  ＳＴＭ−１６  ＩＦ部
４０  ＳＯＮＥＴ／ＳＤＨクロック信号ＳＳＭ自動識別回路
４３ｃ、５３ｃ  変換手順選択回路
５０  ＳＯＮＥＴ／ＳＤＨデータ信号ＳＳＭ自動識別回路
５３ａ  ＳＯＮＥＴ−ＳＳＭテーブル
５３ｂ、５３ｄ  ＳＤＨ−ＳＳＭテーブル
６０  ＳＯＮＥＴ／ＳＤＨシンク・トレース検出回路
【図１】
0003709063.tif 000002
【図２】
0003709063.tif 000003
【図３】
0003709063.tif 000004
【図４】
0003709063.tif 000005
【図５】
0003709063.tif 000006
【図６】
0003709063.tif 000007
【図７】
0003709063.tif 000008
【図８】
0003709063.tif 000009
【図９】
0003709063.tif 000010
【図１０】
0003709063.tif 000011
【図１１】
0003709063.tif 000012
【図１２】
0003709063.tif 000013
【図１３】
0003709063.tif 000014
【図１４】
0003709063.tif 000015